(57)【特許請求の範囲】
【請求項１】
表面が鏡面仕上げされて裏側に屈折された表板屈折部が縁部に形成された表板及び裏側に屈折されて上記表板屈折部の裏側と一の空隙を形成して配置される裏板屈折部が縁部に形成されて上記表板の裏面に接着剤によって装着された裏板からなるパネルと、表板屈折部を互いに対向させて配置された上記パネルの両者間に配置され、一側が上記両者の一方の表板屈折部に接することなく配置されて端面が上記両者の一方の裏板屈折部に接して配置され、他側が上記両者の他方の表板屈折部に接することなく配置されて端面が上記両者の他方の裏板屈折部に接して配置されて上記両者の表板相互の対面部に他の空隙を形成する間隔片と、上記両者の裏板屈折部に挿通されて上記間隔片を介して上記両者の裏板相互を挟圧した締結具とを備え、
上記一の空隙と上記他の空隙とは、少なくとも上記締結具により上記間隔片を介して上記両者の裏板相互を挟圧する位置に配置し、上記締結具の締付け力が上記表板屈折部に作用するのを防ぐ構成としたことを特徴とするエレベーター用パネル装置。
【請求項２】
表面が鏡面仕上げされて裏側に屈折された表板屈折部が縁部に形成された表板及び裏側に屈折されて上記表板屈折部の裏側と一の空隙を形成して配置される裏板屈折部が縁部に形成されて上記表板の裏面に接着剤によって装着された裏板からなるパネルと、表面の縁部及び表板屈折部を互いに対向させて配置された上記パネルの両者間に配置され、一側が上記両者の一方の表板屈折部に接することなく配置されて端面が上記両者の一方の裏板屈折部に接して配置され、他側が上記両者の他方の表板に接することなく嵌合されて端面が上記両者の他方の裏板に接して配置されて上記両者の表板相互の対面部に他の空隙を形成する間隔片と、この間隔片に対応した裏板屈折部及び裏板に挿通されて上記間隔片を介して上記両者の裏板相互を挟圧した締結具とを備え、
上記一の空隙と上記他の空隙とは、少なくとも上記締結具により上記間隔片を介して上記両者の裏板相互を挟圧する位置に配置し、上記締結具の締付け力が上記表板屈折部に作用するのを防ぐ構成としたことを特徴とするエレベーター用パネル装置。
【請求項３】
間隔片の一側を、パネルの表板屈折部に接することなく嵌合して端面を上記パネルの裏板屈折部に接して配置したことを特徴とする請求項１及び請求項２のいずれか一つに記載のエレベーター用パネル装置。
【請求項４】
間隔片を、締結具が貫通する筒状体からなるものとしたことを特徴とする請求項１〜請求項３のいずれか一つに記載のエレベーター用パネル装置。
【発明の詳細な説明】
【０００１】
【発明の属する技術分野】
この発明は、縁部が互いに締結されてかご等を構成するエレベーター用パネル装置に関する。
【０００２】
【従来の技術】
図１０〜図１３は、従来のエレベーター用パネル装置を示す図で、図１０はエレベーター装置を概念的に示す要部横断平面図、図１１は図１０のＡ部拡大図、図１２は図１０のＢ部拡大図、図１３は図１０のＣ部拡大図である。図において、１はエレベーターの昇降路、２は昇降路１を昇降するかごで、床３から立設されて互いに隣接して配置された複数枚のパネル４によって構成されている。
【０００３】
５はパネル４を構成する表板で、表面が鏡面仕上げされたステンレス鋼板等の金属板からなり裏側に屈折された表板屈折部６が両側の縁部にそれぞれ形成されている。７はパネル４を構成する裏板で、鋼板等の金属板からなり裏側に屈折された裏板屈折部８が両側の縁部にそれぞれ形成され、表板６の裏面側の全面に重合状態に配置されて接着剤によって密着状態に装着されている。
【０００４】
９は締結具で、互いに隣接して配置されたパネル４相互の対面した表板屈折部６及び裏板屈折部８に挿通されたボルト及びこのボルトの挿通端にねじ込まれたナットによって構成されて、表板屈折部６及び裏板屈折部８を介して隣接して配置されたパネル４相互を締結する。なお、図１２ではパネル４の表板屈折部６及び裏板屈折部８を介し、このパネル４に対して表面の縁部を対面して配置された他のパネル４の表板屈折部６及び裏板屈折部８が締結具９によって図１１の場合と同様に締結される。
【０００５】
１０は昇降路１に設けられたエレベーターの乗場で、前述のパネル４と同様に構成された出入口柱１１及び前述のパネル４と同様に構成され、出入口柱１１の相互間に配置されて乗場１０の出入口上縁部を形成する上部パネル１２が設けられている。なお、図１３では上部パネル１２の表板屈折部６及び裏板屈折部８を介し、上部パネル１２に対して表面の縁部が対面して配置された出入口柱１１が締結具９によって図１１の場合と同様に締結される。
【０００６】
従来のエレベーター用パネル装置は上記のように構成され、隣接したパネル４相互が表板屈折部６及び裏板屈折部８を介して締結具９によって締結されて、かご２、乗場１０の構成部材を組立てるようになっている。
【０００７】
【発明が解決しようとする課題】
上記のような従来のエレベーター用パネル装置において、パネル４の表板屈折部６、裏板屈折部８のそれぞれの屈折部に屈折加工時の屈折角度の誤差が発生する。（図１１に屈折角度が９０°より少ない例を鎖線で示す。）そして、このパネル４が表板屈折部６及び裏板屈折部８を介して締結具９によって締結されると、前述の屈折角度の誤差と、締結具９による締付け力が表板屈折部６に作用することとによって、表板５表面の縁部に微細な歪みが発生する。そして、この歪みによって鏡面仕上げされた表板５表面の縁部に沿う幅１２cm程度の範囲において映像に歪みが生じ美観が損なわれることがある。このような表板５表面の締結縁部の歪みを解消するために再製作するなどの煩雑な手数が掛かるという問題点があった。
【０００８】
この発明は、かかる問題点を解消するためになされたものであり、鏡面仕上げされた表板により形成されたパネルが相互に締結される構成において、締結縁部の映像に歪みを生じないエレベーター用パネル装置を得ることを目的とする。
【０００９】
【課題を解決するための手段】
この発明に係るエレベーター用パネル装置においては、表面が鏡面仕上げされて裏側に屈折された表板屈折部が縁部に形成された表板及び裏側に屈折されて上記表板屈折部の裏側と一の空隙を形成して配置される裏板屈折部が縁部に形成されて上記表板の裏面に接着剤によって装着された裏板からなるパネルと、表板屈折部を互いに対向させて配置された上記パネルの両者間に配置され、一側が上記両者の一方の表板屈折部に接することなく配置されて端面が上記両者の一方の裏板屈折部に接して配置され、他側が上記両者の他方の表板屈折部に接することなく配置されて端面が上記両者の他方の裏板屈折部に接して配置されて上記両者の表板相互の対面部に他の空隙を形成する間隔片と、上記両者の裏板屈折部に挿通されて上記間隔片を介して上記両者の裏板相互を挟圧した締結具とを備え、
上記一の空隙と上記他の空隙とは、少なくとも上記締結具により上記間隔片を介して上記両者の裏板相互を挟圧する位置に配置し、上記締結具の締付け力が上記表板屈折部に作用するのを防ぐ構成としている。
【００１０】
また、この発明に係るエレベーター用パネル装置においては、表面が鏡面仕上げされて裏側に屈折された表板屈折部が縁部に形成された表板及び裏側に屈折されて上記表板屈折部の裏側と一の空隙を形成して配置される裏板屈折部が縁部に形成されて上記表板の裏面に接着剤によって装着された裏板からなるパネルと、表面の縁部及び表板屈折部を互いに対向させて配置された上記パネルの両者間に配置され、一側が上記両者の一方の表板屈折部に接することなく配置されて端面が上記両者の一方の裏板屈折部に接して配置され、他側が上記両者の他方の表板に接することなく嵌合されて端面が上記両者の他方の裏板に接して配置されて上記両者の表板相互の対面部に他の空隙を形成する間隔片と、この間隔片に対応した裏板屈折部及び裏板に挿通されて上記間隔片を介して上記両者の裏板相互を挟圧した締結具とを備え、
上記一の空隙と上記他の空隙とは、少なくとも上記締結具により上記間隔片を介して上記両者の裏板相互を挟圧する位置に配置し、上記締結具の締付け力が上記表板屈折部に作用するのを防ぐ構成としている。
【００１１】
また、この発明に係るエレベーター用パネル装置においては、間隔片の一側が、パネルの表板屈折部に接することなく嵌合し、その端面がパネルの裏板屈折部に接して配置される。
【００１２】
また、この発明に係るエレベーター用パネル装置においては、締結具が貫通する筒状体によって間隔片が形成される。
【００１３】
【発明の実施の形態】
実施の形態１．
図１〜図６は、この発明の実施の形態の一例を示す図で、図１はパネルの横断平面図、図２は図１のパネルの締結状態を示す前述の図１１相当図、図３は図２の他の締結状態を示す前述の図２相当図、図４も図２の他の締結状態を示す前述の図２相当図、図５は図１のパネルの他の締結状態を示す前述の図１２相当図、図６も図１のパネルの他の締結状態を示す前述の図１３相当図である。なお、図１〜図６の他は前述の図１０と同様にエレベーター用パネル装置が構成されている。
【００１４】
図において、１３はパネル、１４はパネル１３を構成する表板で、表面が鏡面仕上げされたステンレス鋼板等の金属板からなり裏側に屈折された表板屈折部１５が両側の縁部にそれぞれ形成されている。１６はパネル１３を構成する裏板で、鋼板等の金属板からなり裏側に屈折されて表板屈折部１５の裏側と図１に示す空隙ｇを形成して配置された裏板屈折部１７が両側の縁部にそれぞれ形成され、表板１４の裏面に接着剤によって密着状態に装着されている。なお、空隙ｇは後述する使用部材の寸法に対して０．５mm程度に構成されている。
【００１５】
１８は間隔片で、互いに隣接して配置されたパネル１３の両者相互間に配置され、一側が上記両者の一方の表板屈折部１５に接することなく嵌合されて端面が上記両者の一方の裏板屈折部１７に接して配置され、他側が上記両者の他方の表板屈折部１５に接することなく嵌合されて端面が上記両者の他方の裏板屈折部１７に接して配置されて上記両者の表板屈折部１５相互の対面部に少ない空隙を形成する。
【００１６】
なお図２において、表板１４の厚さ１．５mm、表板屈折部１５の長さ、すなわち図２に示す長さｅが３０mm、裏板の厚さ１．６mmの場合に、間隔片１８の長さ、すなわち図２に示す長さｆが４．６mmに設定され、表板屈折部１５相互の対面部に図２に示す空隙ｈが０．６mmに形成される。
【００１７】
また、表板屈折部１５の曲げ加工は表面に対して図３及び図４に示す角度θが９０°±０．５°の精度で行われる。これにより、表板屈折部１５の曲げ加工がθ＝９０．５°の場合に図３に示す状態となり、また表板屈折部１５の曲げ加工がθ＝８９．５°の場合に図４に示す状態となる。そして、図３及び図４のそれぞれにおいて、表板屈折部１５が、相互に、また裏板屈折部１７に接触することはない。
【００１８】
９は締結具で、互いに隣接して配置されたパネル１３相互の対面した裏板屈折部１７及び間隔片１８に挿通されたボルト及びこのボルトの挿通端にねじ込まれたナットによって構成されて、間隔片１８を介してパネル１３相互の対面した裏板屈折部１７を挟圧する。そして、互いに隣接して配置されたパネル１３の両者相互を締結する。
【００１９】
また、図５及び図６の場合は、上部パネルを形成するパネル１３又はパネル１３に準じて構成された前述の出入口柱１１等の構造体の両者の一方が、表板屈折部１５を他方の表面の縁部に対向させて互いに隣接して配置される。このときには、間隔片１８の他側が上記両者の他方の表面縁部に接することなく嵌合されて、その端面が対応したパネル１３の裏板１６に接して配置される。これにより、上記両者の表板１４相互の対向部に少ない空隙、すなわち前述の空隙ｈが形成される。
【００２０】
上記のように構成されたエレベーター用パネル装置において、互いに隣接して配置されたパネル１３相互の対面した縁部相互、すなわち裏板屈折部１７の相互又は裏板屈折部１７と表面縁部に対応したと裏板が間隔片１８を介して締結具９によって挟圧されて締結される。このため、パネル１３の表板屈折部１５、裏板屈折部１７の屈折部に屈折角度の誤差があっても、パネル１３の対面した縁部相互が締結された状態で、表板屈折部１５が、相互に、また裏板屈折部１７に接触することはない。
【００２１】
このため、締結具９による締付け力が表板屈折部１５に作用することによる表板１４表面の縁部に微細な歪みが発生しない。したがって、鏡面仕上げされた表板１４が設けられて互いに締結されたパネル１３において、締結縁部の映像に歪みが生じることがない。これにより、表板１４表面の締結縁部の歪みを解消するための煩雑な手数を省くことができ、美観を呈するエレベーター用パネル装置を容易に得ることができる。
【００２２】
実施の形態２．
図７〜図９は、この発明の他の実施の形態の一例を示す図で、図７はパネルの締結状態を示す前述の図２相当図、図８はパネルの他の締結状態を示す前述の図５相当図、図９もパネルの他の締結状態を示す前述の図６相当図である。なお、図７〜図９の他は前述の図１０と同様にエレベーター用パネル装置が構成されている。
【００２３】
図において、前述の図１〜図６と同符号は相当部分を示し、１８は間隔片で、裏板屈折部１７よりも短く形成された表板屈折部１５の屈折先端から離れてパネル１３の裏側寄りに配置され、端面が図１〜図６の実施の形態と同様に裏板屈折部１７又は表面縁部に空隙を形成して嵌合されて対応した裏板１６に接して配置されている。
【００２４】
上記のように構成されたエレベーター用パネル装置において、互いに隣接して配置されたパネル１３相互の対面した縁部相互、すなわち裏板屈折部１７の相互又は裏板屈折部１７と表面縁部に対応したと裏板が間隔片１８を介して締結具９によって挟圧されて締結される。このため、パネル１３の対面した縁部相互が締結された状態で、表板屈折部１５が、相互に、また裏板屈折部１７に接触することはない。したがって、詳細な説明を省略するが図７〜図９の実施の形態においても図１〜図６の実施の形態と同様な作用が得られる。
【００２５】
【発明の効果】
この発明は以上説明したように、表面が鏡面仕上げされて裏側に屈折された表板屈折部が縁部に形成された表板及び裏側に屈折されて表板屈折部の裏側と空隙を形成して配置される裏板屈折部が縁部に形成されて表板の裏面に接着剤によって装着された裏板からなるパネルと、表板屈折部を互いに対向させて配置されたパネルの両者間に配置され、一側が上記両者の一方の表板屈折部に接することなく配置されて端面が上記両者の一方の裏板屈折部に接して配置され、他側が上記両者の他方の表板屈折部に接することなく配置されて端面が上記両者の他方の裏板屈折部に接して配置されて上記両者の表板相互の対面部に少ない空隙を形成する間隔片と、上記両者の裏板屈折部に挿通されて間隔片を介して上記両者の裏板相互を挟圧した締結具とを設けたものである。
【００２６】
これによって、互いに隣接して配置されたパネルの両者相互の対面した縁部相互、すなわち裏板屈折部の相互が表板屈折部に接することなく配置された間隔片を介して締結具によって挟圧されて締結される。このため、上記両者の表板相互の対面部に少ない空隙が形成されるので、パネルの表板屈折部、裏板屈折部に屈折角度の誤差があっても、パネルの対面した縁部相互が締結された状態で表板屈折部が、相互に、また裏板屈折部に接触することはない。したがって、締結具による締付け力が表板屈折部に作用することによる表板表面の縁部に微細な歪みが発生しない。これにより、鏡面仕上げされた表板が設けられて互いに締結されたパネルにおいて、締結縁部の映像に歪みが生じることがない。このため、表板表面の締結縁部の歪みを解消するための煩雑な手数を省くことができ、美観を呈するエレベーター用パネル装置を容易に実現する効果がある。
【００２７】
また、この発明は以上説明したように、表面が鏡面仕上げされて裏側に屈折された表板屈折部が縁部に形成された表板及び裏側に屈折されて表板屈折部の裏側と空隙を形成して配置される裏板屈折部が縁部に形成されて表板の裏面に接着剤によって装着された裏板からなるパネルと、表面の縁部及び表板屈折部を互いに対向させて配置されたパネルの両者間に配置され、一側が上記両者の一方の表板屈折部に接することなく配置されて端面が上記両者の一方の裏板屈折部に接して配置され、他側が上記両者の他方の表板に接することなく嵌合されて端面が上記両者の他方の裏板に接して配置されて上記両者の表板相互の対面部に少ない空隙を形成する間隔片と、この間隔片に対応した裏板屈折部及び裏板に挿通されて間隔片を介して上記両者の裏板相互を挟圧した締結具とを設けたものである。
【００２８】
これによって、一側が互いに隣接して配置されたパネルの両者の一方の表板屈折部に接することなく端面が上記両者の一方の裏板屈折部に接して配置され、他側が上記両者の他方の表板に接することなく嵌合されて端面が上記両者の他方の裏板に接して配置された間隔片が設けられる。そして、上記両者の縁部が間隔片を介して締結具によって挟圧されて締結され、上記両者の表板相互の対面部に少ない空隙が形成される。このため、パネルの表板屈折部、裏板屈折部に屈折角度の誤差があっても、パネルの対面した縁部相互が締結された状態で、表板屈折部が、相互に、また裏板屈折部に接触することはない。したがって、締結具による締付け力が表板屈折部に作用することによる表板表面の縁部に微細な歪みが発生しない。これにより、鏡面仕上げされた表板が設けられて互いに締結されたパネルにおいて、締結縁部の映像に歪みが生じることがない。このため、表板表面の締結縁部の歪みを解消するための煩雑な手数を省くことができ、美観を呈するエレベーター用パネル装置を容易に実現する効果がある。
【００２９】
また、この発明は以上説明したように、間隔片の一側を、パネルの表板屈折部に接することなく嵌合し、その端面をパネルの裏板屈折部に接して配置したものである。
【００３０】
これによって、一側が互いに隣接して配置されたパネルの表板屈折部に接することなく嵌合され、その端面がパネルの裏板屈折部に接して配置された間隔片が設けられる。そして、パネル相互の縁部が間隔片を介して締結具によって挟圧されて締結され、パネルの表板相互の対面部に少ない空隙が形成される。このため、パネルの表板屈折部、裏板屈折部に屈折角度の誤差があっても、パネルの対面した縁部相互が締結された状態で、表板屈折部が、相互に、また裏板屈折部に接触することはない。したがって、締結具による締付け力が表板屈折部に作用することによる表板表面の縁部に微細な歪みが発生しない。これにより、鏡面仕上げされた表板が設けられて互いに締結されたパネルにおいて、締結縁部の映像に歪みが生じることがない。このため、表板表面の締結縁部の歪みを解消するための煩雑な手数を省くことができ、美観を呈するエレベーター用パネル装置を容易に実現する効果がある。
【００３１】
また、この発明は以上説明したように、締結具が貫通する筒状体によって間隔片を形成したものである。
【００３２】
これによって、少なくとも一側が互いに隣接して配置されたパネルの表板屈折部に接することなく配置され、その端面がパネルの裏板屈折部に接して配置されて、締結具が貫通する筒状体によって形成された間隔片が設けられる。そして、パネル相互の縁部が間隔片を介して締結具によって挟圧されて締結され、パネルの表板相互の対面部に少ない空隙が形成される。このため、パネルの表板屈折部、裏板屈折部に屈折角度の誤差があっても、パネルの対面した縁部相互が締結された状態で、表板屈折部が、相互に、また裏板屈折部に接触することはない。したがって、締結具による締付け力が表板屈折部に作用することによる表板表面の縁部に微細な歪みが発生しない。これにより、鏡面仕上げされた表板が設けられて互いに締結されたパネルにおいて締結縁部の映像に歪みが生じることがない。このため、表板表面の締結縁部の歪みを解消するための煩雑な手数を省くことができ、美観を呈するエレベーター用パネル装置を容易に実現する効果がある。
【図面の簡単な説明】
【図１】  この発明の実施の形態１を示す図で、パネルの横断平面図。
【図２】  図１のパネルの締結状態を示す図で、後述する図１１相当図。
【図３】  図２の他の締結状態を示す前述の図２相当図。
【図４】  図２の他の締結状態を示す前述の図２相当図。
【図５】  図１のパネルの他の締結状態を示す図であり、後述する図１２相当図。
【図６】  図１のパネルの他の締結状態を示す図であり、後述する図１３相当図。
【図７】  この発明の実施の形態２を示す図で、パネルの締結状態を示す前述の図２相当図。
【図８】  図７のパネルの他の締結状態を示す前述の図５相当図。
【図９】  図７のパネルの他の締結状態を示す前述の図６相当図。
【図１０】  従来のエレベーター用パネル装置を示す図で、エレベーター装置を概念的に示す要部横断平面図。
【図１１】  図１０のＡ部拡大図。
【図１２】  図１０のＢ部拡大図。
【図１３】  図１０のＣ部拡大図。
【符号の説明】
９  締結具、１３  パネル、１４  表板、１５  表板屈折部、１６  裏板、１７  裏板屈折部、１８  間隔片。
【図１】
0004357665.tif 000002
【図２】
0004357665.tif 000003
【図３】
0004357665.tif 000004
【図４】
0004357665.tif 000005
【図５】
0004357665.tif 000006
【図６】
0004357665.tif 000007
【図７】
0004357665.tif 000008
【図８】
0004357665.tif 000009
【図９】
0004357665.tif 000010
【図１０】
0004357665.tif 000011
【図１１】
0004357665.tif 000012
【図１２】
0004357665.tif 000013
【図１３】
0004357665.tif 000014